(57)【要約】      （修正有）【課題】収容箱の内部に物品が収容された物品収容体において、収容箱のいずれかの開口から物品が抜き取られるのを防止することができる物品収容体を提供する。【解決手段】本発明に係る物品収容体は、収容箱と、前記収容箱に収容される物品と、前記収容箱に収容される支持部材と、を備え、前記収容箱は、前記物品を収容可能な筒状に形成され、両端に第１開口及び第２開口を有する本体部と、前記第１開口を塞ぐ第１蓋部と、前記第２開口を塞ぐ第２蓋部と、を備え、前記支持部材は、前記第１蓋部と前記第２蓋部との間で延び、前記本体部の内側から前記第１蓋部及び第２蓋部を支持可能に構成されている。【選択図】図１
2018100122.tif 000002
【特許請求の範囲】
【請求項１】
収容箱と、
前記収容箱に収容される物品と、
前記収容箱に収容される支持部材と、
を備え、
前記収容箱は、
前記物品を収容可能な筒状に形成され、両端に第１開口及び第２開口を有する本体部と、
前記第１開口を塞ぐ第１蓋部と、
前記第２開口を塞ぐ第２蓋部と、を備え、
前記支持部材は、前記第１蓋部と前記第２蓋部との間で延び、前記本体部の内側から前記第１蓋部及び第２蓋部を支持可能に構成されている、物品収容体。
【請求項２】
前記支持部材は、前記第１蓋部と前記第２蓋部との間で延びる板状に形成されるとともに、前記本体部の内部空間を当該本体部の軸方向に延びる２以上の収容室に区切るように構成され、
前記収容室の１つに、前記物品が収容されるように構成されている、請求項１に記載の物品収容体。
【請求項３】
前記支持部材は、前記収容室に収容された前記物品の少なくとも一部に当接するように構成されている、請求項２に記載の物品収容体。
【請求項４】
前記本体部は透明または半透明の材料で形成され、
前記収容室の１つに収容された前記物品が、外部から視認可能となっている、請求項２または３に記載の物品収容体。
【請求項５】
前記物品は、前記本体部の軸方向の長さよりも短い、請求項１から４のいずれかに記載の物品収容体。
【請求項６】
前記第１蓋部及び前記第２蓋部の少なくとも一方は、前記本体部の両端の開口縁部以外の部分に切込みを有しており、
前記切込みを介して、前記本体部の内外が連通可能に構成されている、請求項１から５のいずれかに記載の物品収容体。
【請求項７】
前記本体部は角筒状に形成されることで、折り畳み可能に構成され、
前記第１蓋部及び第２蓋部の少なくとも一方は、前記本体部の折り畳みに伴い、前記本体部の内部空間側に折り込まれるように少なくとも１つの折り目を有しており、
前記支持部材の端部は、前記折り目の少なくとも１つと交差するように、前記本体部の内部に配置されている、請求項１から６のいずれかに記載の物品収容体。
【発明の詳細な説明】
【技術分野】
【０００１】
本発明は、物品収容体に関する。
【背景技術】
【０００２】
従来より、特許文献１に記載のような収容箱が提案されている。この収容箱は、プラスチックの薄板を折り曲げて直方体状に組み立てられるものである。特に、底面部は、４つのフラップを組み合わせて形成される、いわゆる地獄底（あるいはアメリカンロック）と称されるものである。各フラップには突出部が形成されており、これらを所定の順番で係合させることで、フラップが簡単に外れないようになっている。これにより、底面部の強度が保たれ、内部に収容された商品の重みで簡単にフラップが分離するのを防止している。
【先行技術文献】
【特許文献】
【０００３】
【特許文献１】実用新案登録第３１１５８９５号公報
【発明の概要】
【発明が解決しようとする課題】
【０００４】
ところで、上述した収容箱は、各フラップを組み合わせることで、底面部の周縁以外に部分に切込みが形成される。この切込みを強く押圧すると、切込みが押し広げられ、収容箱の内部空間に通じる開口が形成される。そのため、このような収容箱においては、収容箱から商品を取り出すことが比較的容易であり、店頭などでイタズラ等により商品のみを抜き取られることも考えられる。また、医薬品や化粧品などの場合には、商品の性質上、より厳格に収容箱に収容される必要があった。このようなことは、上記のような地獄底を有する収容箱のみならず、底面部の周縁以外の部分に切込みが形成された収容箱、あるいは通常の底面部の周縁に切込みが形成された収容箱でも、底面部を強く押圧すれば、起こりうる問題である。本発明は、上記問題を解決するためになされたものであり、収容箱の内部に物品が収容された物品収容体において、収容箱のいずれかの開口から物品が容易に抜き取られるのを防止することができる物品収容体を提供することを目的とする。
【課題を解決するための手段】
【０００５】
本発明に係る物品収容体は、収容箱と、前記収容箱に収容される物品と、前記収容箱に収容される支持部材と、を備え、前記収容箱は、前記物品を収容可能な筒状に形成され、両端に第１開口及び第２開口を有する本体部と、前記第１開口を塞ぐ第１蓋部と、前記第２開口を塞ぐ第２蓋部と、を備え、前記支持部材は、前記第１蓋部と前記第２蓋部との間で延び、前記本体部の内側から前記第１蓋部及び第２蓋部を支持可能に構成されている。
【０００６】
この構成によれば、収容箱の第１蓋部材または第２蓋部材を本体部の内部に向けて押し込むことで、第１または第２開口を開き、本体部に収容されている物品をイタズラ等の目的で抜き取ろうとすることを防止できる。
すなわち、収容箱に支持部材が配置されており、本体部の内側から第１蓋部及び第２蓋部を支持するように構成されているため、これら蓋部を押圧しても、支持部材によって各蓋部が本体部の内側に入り込むのを防止することができる。したがって、各蓋部が開くのを防止でき、その結果、物品が収容箱から抜き取られるのを防止することができる。
【０００７】
上記物品収容体において、支持部材の構成は特には限定されないが、例えば、以下のように構成することができる。すなわち、前記支持部材は、前記第１蓋部と前記第２蓋部との間で延びる板状に形成されるとともに、前記本体部の内部空間を当該本体部の軸方向に延びる２つ以上の収容室に区切るように構成することができ、前記収容室の１つに、前記物品が収容されるように構成することができる。
【０００８】
上記物品収容体において、前記支持部材は、前記収容室に収容された前記物品の少なくとも一部に当接するように構成することができる。このように構成すると、物品が収容室内で移動するのを防止することができので、物品をより抜き取られにくくすることができる。
【０００９】
上記各物品収容体において、前記本体部は透明または半透明の材料で形成することができ、前記収容室の１つに収容された前記物品を、外部から視認可能に構成することができる。このように構成することで、物品が抜き取られた場合でも速やかに発見可能になるため、イタズラ等の意欲を減退させることができる。
【００１０】
上記各物品収容体において、前記物品は、前記本体部の軸方向の長さよりも短く形成することができる。このようにすると、物品の端部と、本体部の端部との間に隙間を形成することができる。そのため、収容箱の表面において、物品が配置されていない部分に文字、図形などの表示を施すことができる。また、このように物品の長さが短くなると、蓋部を押圧して物品を取り出しやすくなるが、本発明においては、支持部材を設けているため、物品が抜き取られるのを防止することができる。
【００１１】
上記各物品収容体において、前記第１蓋部及び前記第２蓋部の少なくとも一方は、前記本体部の両端の開口縁部以外の部分に切込みを有することができ、前記切込みを介して、前記本体部の内外が連通可能に構成することができる。このような切込みが形成されていても、支持部材によって、収容箱から物品が抜き取られるのを防止することができる。
【００１２】
上記各物品収容体においては、前記本体部は角筒状に形成されることで、折り畳み可能に構成され、前記第１蓋部及び第２蓋部の少なくとも一方は、前記本体部の折り畳みに伴い、前記本体部の内部空間側に折り込まれるように少なくとも１つの折り目を有しており、前記支持部材の端部は、前記折り目と交差するように、前記本体部の内部に配置されているものとすることができる。
【００１３】
この構成によれば、支持部材により、蓋部が押圧されても、折り目が折れ曲がるのを防止することができる。したがって、蓋部が開くのを防止することができる。
【発明の効果】
【００１４】
本発明によれば、収容箱の内部に物品が収容された物品収容体において、収容箱のいずれかの開口から物品が抜き取られるのを防止することができる。
【図面の簡単な説明】
【００１５】
【図１】本発明の一実施形態に係る物品収容体の斜視図である。
【図２】図１の収容箱の展開図である。
【図３】支持部材の斜視図である。
【図４】支持部材の展開図である。
【図５】商品の正面図である。
【図６】商品の側面図である。
【図７】第１フラップ片を示す底面図である。
【図８】第２フラップ片を示す底面図である。
【図９】閉鎖部を示す底面図である。
【図１０】物品収容体の平面図である。
【図１１】物品収容体の底面図である。
【図１２】地獄底で構成された閉鎖部を有する収容箱の一部展開図である。
【図１３】図１２の閉鎖部の組立手順を示す図である。
【図１４】図１２の閉鎖部の組立手順を示す図である。
【図１５】図１２の閉鎖部の組立手順を示す図である。
【図１６】支持部材の他の例を示す断面図である。
【図１７】支持部材の他の例を示す正面図である。
【発明を実施するための形態】
【００１６】
以下、本発明に係る物品収容体の一実施形態について図面を参照しつつ説明する。図１は物品収容体の斜視図である。
【００１７】
図１に示すように、本実施形態に係る物品収容体は、収容箱１０と、この収容箱１０内に収容される商品（物品）２０と、同じく収容箱１０に収容され商品２０を支持する支持部材３０と、を備えている。以下、各部材について詳細に説明する。
＜１．収容箱＞
図１に示すように、本実施形態に係る収容箱１０は、上下方向に長い縦長の直方体であり、角筒状の本体部１を備えている。本体部１の上端部には矩形状の上部開口（第１開口）１５が形成され、本体部１の下端部には矩形状の下部開口（第２開口）１６が形成されている。そして、上部開口１５は上蓋部（第１蓋部）２で閉じられるとともに、上部開口１５の縁部に突出片３が設けられている。一方、下部開口１６は閉鎖部（第２蓋部）４で閉じられている。以下では、まず、図２を参照しつつ、この収容箱１０の展開図について説明する。また、説明の便宜上、図２の横方向を幅方向、上下方向を縦方向と称して説明を行うことがある。
【００１８】
本実施形態に係る収容箱１０は、図２に示すように展開することができ、プラスチックなどの弾性変形可能な透明の薄板状の材料で形成されている。この収容箱１０の本体部１は、矩形状に形成された正面部１１、第１側面部１２、背面部１３、及び第２側面部１４が、幅方向に、この順で連結されている。これらの連結部分はそれぞれ折り曲げ可能となっている。正面部１１は、収容箱１０の正面を向く面であり、後述するように、収容された商品２０が視認可能となっている。また、正面部１１の左側の辺には、矩形状の糊代１１１が折り曲げ可能に連結されている。
【００１９】
背面部１３は、正面部１１と同じ大きさに形成され、収容箱１０が組み立てられたときには、正面部１１と対向する位置に配置される。第１側面部１２は、正面部１１に向かって右側に配置され、正面部１１及び背面部１３の幅よりもやや狭くなっている。第２側面部１４は、第１側面部１２と同じ大きさに形成され、収容箱１０が組み立てられたときには、第１側面部１２と対向する位置に配置される。したがって、本体部１の上部開口１５及び下部開口１６は、正面部１１及び背面部１３側が長い、長方形状に形成される。
【００２０】
次に、上蓋部２及び突出片３について説明する。上蓋部２は、正面部１１の上辺に連結された矩形状のカバー部２１、第１側面部１２及び第２側面部１４の上辺にそれぞれ連結された第１上部側面フラップ２２及び第２上部側面フラップ２３で構成されている。カバー部２１は、本体部１の上部開口１５とほぼ同じ大きさの矩形状に形成されており、先端部には矩形状の先端フラップ２１１が折り曲げ可能に連結されている。また、第１上部側面フラップ２２と第２上部側面フラップ２３は同じ大きさの矩形状に形成されている。第１上部側面フラップ２２の幅は、第１側面部１２の上辺と同じであり、縦長さはカバー部２１の約半分である。第２上部側面フラップ２３も第１上部側面フラップ２２と同様の形状である。
【００２１】
突出片３は、背面部１３の上辺に連結されており、カバー部２１とほぼ同形状の矩形状に形成されている。この突出片３は、背面部１３と連続しており、図１に示すように、上蓋部２が上部開口１５を閉じた状態となっても、上方へ延びるようになっている。突出片３には、例えば、商品に関するラベル等の装飾が施されたり、あるいは吊り掛け用の孔が形成されることがある。
【００２２】
続いて、閉鎖部４について説明する。閉鎖部４は、いわゆるワンタッチ底により形成されている。具体的には、正面部１１の下端縁に折り曲げ可能に連結された第１大フラップ４１、第１側面部１２の下端縁に折り曲げ可能に連結された第１小フラップ４２、背面部１３の下端縁に折り曲げ可能に連結された第２大フラップ４３、及び第２側面部１４の下端縁に折り曲げ可能に連結された第２小フラップ４４により構成されている。両小フラップ４２、４４は、台形状に形成されている。一方、両大フラップ４１、４３は、直角三角形状のフラップ本体４１１、４３１を備えており、このフラップ本体４１１，４３１の斜辺には、三角形状の糊代４１２、４３２が折り曲げ可能に連結されている。また、各フラップ本体４１１，４３１の直角状の角部から斜辺の中心付近を通過する線（点線）が下部開口１６の対角線４０を通過するように構成され、この対角線４０が糊代４１２、４３２の一辺を構成している。したがって、各フラップ本体４１１、４３１と糊代４１２、４３２とを連結する折り曲げ線（折り目）４１３，４３３は、対角線４０まで延びている。また、各フラップ本体４１１，４３１の斜辺の中心付近と、糊代４１２，４３２とは約９０度の角度αで交差しており、この交差部分が係合部４１４，４３４を構成している。
【００２３】
＜２．支持部材＞
次に、支持部材３０について説明する。図３は支持部材の斜視図、図４は支持部材の展開図である。図３及び図４に示すように、支持部材３０は、板状に形成されており、厚紙で形成された基材と、その一方面に貼り付けられた鏡面紙と、で構成されている。この支持部材３０には３つの折り曲げ線３１〜３３が形成され、これら３つの折り曲げ線３１〜３３によって分割された４つの矩形状の部位３４〜３７で構成されている。より詳細に説明すると、支持部材３０は、図４の左から右へ向かって、第１側部３４、第１正面部３５、第２正面部３６、及び第２側部３７が折り曲げ線３１〜３３を介して連結されたものである。このうち、第１側部３４及び第２側部３７は、それぞれ、収容箱１０の第１側面部１２及び第２側面部１４よりもやや小さい形状となっている。また、支持部材３０の上下方向の長さは、収容箱１０の上下方向の高さとほぼ同じ長さになっている。
【００２４】
＜３．商品＞
続いて、商品２０について説明する。図５は商品の正面図、図６は商品の側面図である。これらの図に示すように、商品２０には、クリームなどの薬剤が収容されており、円筒状の蓋部２０１と、薬剤が収容される収容部２０２とを備えている。収容部２０２は、弾性変形可能な樹脂材料で形成されており、下端側に円筒状の排出部（図示省略）が設けられている。そして、この排出部を閉じるように蓋部２０１が取り外し可能に取り付けられる。また、収容部２０２は、排出部から上方に延び上端が水平方向に延びる線状の閉鎖線により閉じられている。したがって、収容部２０２は、図５に示すように、正面視矩形状に形成されているが、図６に示すように、側面視においては、二等辺三角形状に形成されている。
【００２５】
＜４．物品収容体の組立＞
次に、物品収容体の組立について説明する。まず、図２のように展開された状態から収容箱１０を組み立てる。具体的には、各部１１〜１４の連結部分を折り曲げることで、角筒状に形成する。このとき、糊代１１１も正面部１４に対して折り曲げられ、折り曲げられた糊代１１１を、接着剤により第２側面部１４の裏面に接着する。
【００２６】
次に、本体部１の下部開口１６を閉じる閉鎖部４を組み立てる。まず、図７に示すように、第１大フラップ４１の糊代４１２を、これと隣接する第１小フラップ４２に接着剤４５で接着する。このとき、第１大フラップ４１の糊代４１２の対角線４０と一致する辺と、第１小フラップ４２の側辺とが一致するように接着する。このように接着した第１大フラップ４１と第１小フラップ４２とを、第１フラップ片４０１と称することとする。同様に、図８に示すように、第２大フラップ４３の糊代４３２を、これと隣接する第２小フラップ４４に接着剤４６で接着する。このとき、第２大フラップ４３の糊代４３２の対角線４０と一致する辺と、第２小フラップ４４の側辺とが一致するように接着する。また、このように接着した第２大フラップ４３と第２小フラップ４４とを、第２フラップ片４０２と称することとする。なお、図７及び図８において、両フラップ片４０１，４０２は別個に示しているが、これは説明の便宜のためであり、いずれも収容箱１０の下部開口１６に固定されている。
【００２７】
続いて、図９に示すように、両フラップ片４０１，４０２の係合部４１４，４３４同士が係合するように両フラップ片４０１，４０２を係合させる。このとき、本体部１が折り畳まれ、両フラップ片４０１，４０２の折り曲げ線４１３，４３３が折り曲げられた状態から、本体部１を角筒状に形成するとともに、すべてのフラップが同一平面に位置するように移動させて、両フラップ片４０１，４０２の係合部４１４，４３４同士を係合させる。こうして、本体部１が、内部空間を有する角筒状に形成されるとともに、閉鎖部４が形成される。
【００２８】
これに続いて、本体部１の上部開口１５から、Ｍ字状に折り曲げられた支持部材３０を挿入する。図１に示すように、この支持部材３０が収容箱１０に収容されたときには、第１及び第２正面部３５、３６がＶ字状に折り曲げられた状態で、その鋭角状の連結部分（折り曲げ線３２）が収容箱１０の背面部１３を向くように配置する。また、第１側部３４及び第２側部３７は、収容箱１０の第１側面部１２及び第２側面部１４に接するように配置される。このとき、支持部材３０において鏡面紙が貼り付けられた面が収容箱１０の正面部１１側を向くように配置される。こうして、図１０に示すように、収容箱１０の内部空間には、収容箱１０の正面部１１、支持部材３０の第１及び第２正面部３５，３６により囲まれた平面視三角形状の収容室１００が形成される。
【００２９】
そして、この収容室１００に、商品２０を蓋部２０１を下側にして、上部開口１５から挿入する。収容された商品２０の一部は、支持部材３０に接する。こうして、商品２０が収容されると、上部開口１５において、両上部側面フラップ２２，２３を折り曲げた後、カバー部２１を折り曲げ、上部開口１５を塞ぐとともに、差込フラップ２１１を正面部１１の内面側に差し込む。以上の作業により、本実施形態に係る物品収容体が完成する。
【００３０】
この状態で、商品２０は、透明な収容箱１０を通して外部から視認することができる。また、支持部材３０の一方面が鏡面紙により構成され、この鏡面紙の前面に商品２０が配置されている。そのため、商品２０が鏡面紙に写り、装飾効果を得ることができる。特に、支持部材３０はＭ字状に折り曲げられているため、商品２０の背後にはＶ字状に折り曲げられた鏡面紙が配置される。そのため、商品２０が支持部材３０の第１及び第２正面部３５，３６にそれぞれ写るため、装飾効果をより高めることができる。
【００３１】
＜５．特徴＞
＜５−１＞
本実施形態に係る閉鎖部は、いわゆるワンタッチ底であるため、図９に示す各フラップ片４０１，４０２の係合部４１４，４３４同士が係合している部分を押圧すれば、この部分が押し開かれ、閉鎖部４に開口が形成される。そのため、本体部１に収容されている商品２０が、イタズラ等の目的で抜き取られる可能性がある。これに対して、本実施形態では、収容箱１０に支持部材３０が配置されており、本体部１の内側から上蓋部２及び閉鎖部４を支持するように構成されている。そのため、閉鎖部４を押圧しても、支持部材３０によって閉鎖部４が本体部１の内側に入り込むのを防止することができる。したがって、商品２０が収容箱１０から抜き取られるのを防止することができる。
【００３２】
＜５−２＞
また、本実施形態においては、図１１に示すように、支持部材３０の第２正面部３６が、閉鎖部４における一方の折り曲げ線４１３と交差するように配置されている。そのため、この折り曲げ線４１３が折れ曲がって本体部１の内側に第１フラップ片４０１が入り込むのを防止することができる。したがって、閉鎖部４が押圧されても、押し込まれるのを確実に防止することができる。
【００３３】
＜５−３＞
本実施形態に係る商品２０の高さは、収容箱１０よりも低いものであるため、図１に示すように、収容箱１０に商品２０を挿入すると、商品２０と上蓋部２との間にスペースが形成される。そのため、この部分において、収容箱１０の表面に商品説明や装飾を施すことができる。また、このようにスペースが形成されると、閉鎖部４をより押し込みやすくなるが、上記のように支持部材３０が設けられているため、商品２０が収容箱１０から抜き取られるのを確実に防止することができる。
【００３４】
＜５−４＞
支持部材３０がＭ字状に折り曲げられ、収容箱１０の内部に商品２０が当接するように収容される収容室１００を形成している。そのため、商品２０が収容室１００内で移動するのを防止することができる。これにより、商品２０の表面に傷が生じたり、破損するのを防止することができるとともに、商品２０を抜き取られにくくすることができる。
【００３５】
＜６．変形例＞
以上、本発明の一実施形態について説明したが、本発明はこれに限定されるものではなく、その趣旨を逸脱しない限りにおいて種々の変更が可能である。なお、以下の変形例は、適宜組合せ可能である。
【００３６】
＜６−１＞
上記実施形態では、閉鎖部４をワンタッチ底で形成しているが、その他、押圧により開きやすい形態としては、いわゆる地獄底（アメリカンロック）がある。以下、説明する。
【００３７】
図１２に示すように、この閉鎖部５は、正面フラップ５１、第１下部側面フラップ５２、第２下部側面フラップ５３、及び背面フラップ５４により形成されている。正面フラップ５１は、正面部１１の下辺に折り曲げ可能に連結された矩形状の第１基部５１１と、第１基部５１１の両側から縦方向に突出する一対の第１突出部５１２ａ，５１２ｂとを備えたＵ字型に形成されている。第１基部５１１の幅は、正面部１１と同じであり、縦長さは、本体部１の下部開口１６の縦長さの約半分の長さである。
【００３８】
第１下部側面フラップ５２は、第１側面部１２の下辺に折り曲げ可能に連結された第２基部５２１と、第２基部５２１から幅方向に正面フラップ５１側に延びる第２突出部５２２と、を備えている。第２下部側面フラップ５３は、向きが反対となっている以外は、第１下部側面フラップ５２と同様の形状を有している。すなわち、第２側面部１４の下辺に折り曲げ可能に連結された第３基部５３１と、第３基部５３１から幅方向に背面フラップ５４とは反対側に延びる第３突出部５３２と、を備えている。
【００３９】
背面フラップ５４は、背面部１３の下辺に折り曲げ可能に連結された台形状の第４基部５４１と、第４基部５４１の先端から突出する矩形状の第４突出部５４２とを備えている。第４基部５４１の縦長さは、本体部１の下部開口１６の縦長さの約半分の長さである。また、第４基部５４１の先端の幅と、第４突出部５４２の幅は同じであり、これらは、正面フラップ５１の第１突出部５１２ａ，５１２ｂ間の長さともほぼ同じである。これは、後述するように、閉鎖部５を組み立てるときに、第４突出部５４２が、正面フラップ５１の第１突出部５１２ａ，５１２ｂの間に嵌め込まれるためである。
【００４０】
上記のように構成された各フラップ５１〜５４は、図１３〜図１５に示すように、組立てられる。その結果、図１５に示すように、閉鎖部５の中央には切込み５００が形成される。したがって、この切込み５００を押圧すれば、切込み５００が押し広げられ開口が形成される。しかし、上述した支持部材３０を収容箱に配置しておけば、閉鎖部５が切込み５００から押し広げられて開口が形成されるのを防止することができる。
【００４１】
なお、閉鎖部４，５の構成は上述したものに限定されず、種々の形態が可能である。すなわち、上述したように、下部開口１６の周縁以外の部分に切込みが設けられるもののほか、上述した上蓋部２のような閉鎖部であっても、支持部材３０を配置すれば、商品２０が抜き取られるのを防止することができる。また、収容箱１０の下部開口１６を閉じる閉鎖部のみならず、上蓋部２においても、支持部材３０によって、押し込みにより開かれるのを防止することができる。
【００４２】
＜６−２＞
収容箱１０は角筒以外であってもよく、筒状に形成され、上部開口１５及び下部開口１６が形成され、少なくとも一方が開くように形成されていればよい。したがって、円筒状のほか、多角形状、異形状にすることもできる。また、透明または半透明の材料のほか、有色の材料で形成されていてもよい。
【００４３】
＜６−３＞
支持部材３０の構成は上述したもの以外であってもよく、上蓋部２と閉鎖部４とを本体部１の内側から支持できるものであれば、特には限定されない。例えば、図１６に示すように、平面視Ｎ字状（ａ）、Ｖ字状（ｂ）、円弧状（ｃ）、楕円状（ｄ）など、種々の形状にすることができる。また、図１７に示すように、上蓋部２と閉鎖部４との間で、水平方向の幅や形状が同じでなくてもよい。また、上蓋部２を支持する部位と、閉鎖部４を支持する部位とが異なる形状であってもよい。
【００４４】
＜６−４＞
商品２０の形状も特には限定されず、高さも含め、種々の形状にすることができる。
【符号の説明】
【００４５】
１  本体部
２  上蓋部（第１蓋部）
４  閉鎖部（第２蓋部）
２０  商品（物品）
３０  支持部材
【図１】
2018100122.tif 000003
【図２】
2018100122.tif 000004
【図３】
2018100122.tif 000005
【図４】
2018100122.tif 000006
【図５】
2018100122.tif 000007
【図６】
2018100122.tif 000008
【図７】
2018100122.tif 000009
【図８】
2018100122.tif 000010
【図９】
2018100122.tif 000011
【図１０】
2018100122.tif 000012
【図１１】
2018100122.tif 000013
【図１２】
2018100122.tif 000014
【図１３】
2018100122.tif 000015
【図１４】
2018100122.tif 000016
【図１５】
2018100122.tif 000017
【図１６】
2018100122.tif 000018
【図１７】
2018100122.tif 000019